(57)【要約】【課題】切り起し部の開口から異物が侵入するのを、他の部品の追加や変形等の必要なく、防止することができる板金部品を提供する。【解決手段】金属板１と、金属板上に切り起し加工によって形成され、該加工で生じた切断面３を有する切り起し部２とを備えた板金部品において、切り起し部に隣接する金属板部分において、絞り加工によって形成された絞り部５を設け、前記切断面に対応する金属板の切断面４は絞り部の端部を構成し、該端部は前記絞り加工によって金属板の板面から隆起するように構成する。絞り部端部の隆起方向は、切り起し部の切り起し方向と同一又は逆方向とする。【選択図】図１
2005334963.tif 000002
【特許請求の範囲】
【請求項１】
金属板と、
前記金属板上に切り起し加工によって形成され、該加工で生じた切断面を有する切り起し部と、
前記切り起し部に隣接する前記金属板部分において、絞り加工によって形成された絞り部とを備え、
前記切断面に対応する前記金属板の切断面は前記絞り部の端部を構成しており、該端部は前記絞り加工によって前記金属板の板面から隆起していることを特徴とする板金部品。
【請求項２】
前記絞り部端部の隆起方向は前記切り起し部の切り起し方向と同一であり、前記絞り部端部を構成する切断面は、前記切り起し部の切断面との間の間隙が所定の幅を有するように、前記切り起し部の切断面に沿っていることを特徴とする請求項１に記載の板金部品。
【請求項３】
前記切り起し部は両端が前記金属板に接続しており、両側が前記切断面となっているブリッジ状のものであり、前記絞り部は前記切り起し部の両側に形成されていることを特徴とする請求項２に記載の板金部品。
【請求項４】
前記切り起し部は、前記金属板から斜めに切り起こされた矩形状の斜部と、該斜部に接続し、前記金属板に平行な矩形状の平行部とを有し、一端のみが前記金属板に接続し、他端及び両側は前記切断面となっており、前記絞り部は、これらの切断面を囲うように形成されていることを特徴とする請求項２に記載の板金部品。
【請求項５】
前記切り起し部及び絞り部は、全体として四角錘台に類似した形状を構成していることを特徴とする請求項３又は４に記載の板金部品。
【請求項６】
前記切り起し部は両端が前記金属板に接続しており、両側が切断面となっているブリッジ状のものであり、前記絞り部は前記切り起し部の一方の側にのみ設けられており、前記絞り部端部の隆起方向は前記切り起し部の切り起し方向と逆であり、前記絞り部端部を構成する切断面及び前記切り起し部の一方の側の切断面により所定の開口を形成していることを特徴とする請求項１に記載の板金部品。
【請求項７】
前記切り起し部及び絞り部の頂部は前記金属板に平行な平板状となっており、前記切り起し部の頂部は前記絞り部の頂部よりも高さが高いことを特徴とする請求項１〜６のいずれか１項に記載の板金部品。
【発明の詳細な説明】
【技術分野】
【０００１】
本発明は、切り起し加工によって形成された切り起し部、及び絞り加工によって形成された絞り部を備えた板金部品に関する。
【背景技術】
【０００２】
従来、金属板材料に対し、切り起し加工によって係止片や突起等を設けることが一般的に行われている。また、金属板材料に対して精密部品をねじ止めする際に、ねじ止め部の加工誤差等によって精密部品に応力が負荷されるのを防止するため、切り起し加工により金属板材料上に形成した切り起し部を介してねじ止めを行うようにした技術も知られている（たとえば特許文献１参照）。この場合、ねじ止めにより生じる応力は、切り起し部の弾性変形によって吸収されることになる。
【０００３】
図４はこのような従来の切り起し部を有する板金部品の一例を示す。この板金部品は、金属板１、及び金属板１上に形成された切り起し部４２を有する。切り起し部４２の形成は、金属板１に対し、切り起し部４２となる部分の両側にスリットを形成し、切り起し部４２の形状となるようにプレス加工を施すことによって形成することができる。
【０００４】
【特許文献１】特開平８−８８５７１号公報
【発明の開示】
【発明が解決しようとする課題】
【０００５】
しかしながら、この板金部品は、図４に示すように、切り起し部４２の両側に、大きな開口部４３を有する。そうすると、この板金部品を用いた製品の製造時や、製造した製品の使用時に、開口部４３から異物が入り込むおそれがある。また、これを防止するためには、開口部４３を塞ぐための別の部品を設けたり、切り起し部４２に対して組み合わせる部品の形状を工夫したりする必要がある。
【０００６】
本発明の目的は、このような従来技術の問題点に鑑み、切り起し部の開口から異物が侵入するのを、他の部品の追加や変形等の必要なく、防止することができる板金部品を提供することにある。
【課題を解決するための手段】
【０００７】
上記目的を達成するため、本発明の板金部品は、金属板と、金属板上に切り起し加工によって形成され、該加工で生じた切断面を有する切り起し部と、切り起し部に隣接する金属板部分において絞り加工によって形成された絞り部とを備える。そして、切り起し部の切断面に対応する金属板の切断面は、絞り部の端部を構成しており、この端部は、前記絞り加工によって金属板の板面から隆起していることを特徴とする。ここで、板金部品としてはたとえば、電気装置の製造に使用されるものが該当する。切り起し部としてはたとえば、係止片や、ねじ止め用の台座として使用されるものが該当する。
【０００８】
この構成において、切断面が構成する絞り部端部は、金属板の板面から、絞り加工によって隆起している。この場合、隆起の方向が切り起し部の切り起し方向と同一であれば、切り起し部と金属板との間の隙間が狭められることになる。したがって、絞り部端部の隆起の度合いや形状を適当なものとすることにより、該隙間を経て異物が落下したり、侵入したりするのを防止することができる。
【０００９】
一方、絞り部端部の隆起方向が、切り起し部の切り起し方向と逆であれば、切り起し部の切断面と、絞り部端部の切断面とによって大きな開口部が形成されることになる。この場合、その開口部は、金属板の一方の側から他方の側へ、リード線等を通過させる等のために用いることができる。
【００１０】
第２の発明に係る板金部品は、第１発明において、絞り部端部の隆起方向は切り起し部の切り起し方向と同一であり、絞り部端部を構成する切断面は、切り起し部の切断面との間の間隙が所定の幅を有するように、切り起し部の切断面に沿っていることを特徴とする。
【００１１】
第３の発明に係る板金部品は、第２発明において、切り起し部は両端が金属板に接続しており、両側が切断面となっているブリッジ状のものであり、絞り部は切り起し部の両側に形成されていることを特徴とする。
【００１２】
第４の発明に係る板金部品は、第２発明において、切り起し部は、金属板から斜めに切り起こされた矩形状の斜部と、該斜部に接続し、金属板に平行な矩形状の平行部とを有し、一端のみが金属板に接続し、他端及び両側は切断面となっており、絞り部は、これらの切断面を囲うように形成されていることを特徴とする。
【００１３】
第５の発明に係る板金部品は、第３又は第４発明において、切り起し部及び絞り部は、全体として四角錘台に類似した形状を構成していることを特徴とする。
【００１４】
第６の発明に係る板金部品は、第１発明において、切り起し部は両端が金属板に接続しており、両側が切断面となっているブリッジ状のものであり、絞り部は切り起し部の一方の側にのみ設けられており、絞り部端部の隆起方向は切り起し部の切り起し方向と逆であり、絞り部端部を構成する切断面及び切り起し部の一方の側の切断面により所定の開口を形成していることを特徴とする。
【００１５】
第７の発明に係る板金部品は、第１〜第６のいずれかの発明において、切り起し部及び絞り部の頂部は金属板に平行な平板状となっており、切り起し部の頂部は絞り部の頂部よりも高さが高いことを特徴とする。
【発明の効果】
【００１６】
本発明によれば、切り起し部に隣接して生じる隙間が減少するので、該隙間を経て異物が落下したり、侵入したりするのを防止することができる。また、切り起し部に隣接して生じる隙間を大きな開口部とし、該開口部を、金属板の一方の側から他方の側へ、リード線等を通過させる等のために用いることができる。この場合、リード線等によって開口部が塞がると、異物が開口部を通過するおそれはなくなる。
【発明を実施するための最良の形態】
【００１７】
図１は、本発明の一実施形態に係る板金部品の一部を示す斜視図である。同図に示すように、この板金部品は、金属板１と、切り起し加工により金属板１上に設けられた切り起し部２と、切り起し部２に隣接する金属板１部分において、絞り加工によって設けられた絞り部５とを備える。切り起し部２は絞り加工で生じた切断面３を有する。切り起し部２の切断面３に対応する絞り部側の切断面４は、絞り部５の端部を構成している。この端部は、絞り加工によって金属板１の板面から隆起している。
【００１８】
切り起し部２は両端が金属板１に接続しており、両側が切断面３となっているブリッジ状のものである。絞り部５は切り起し部２の両側に設けられており、切り起し部２両側の切断面３に対応する２つの絞り部側切断面４がそれぞれ、各絞り部５の端部を構成している。図中の６は、切断面３及び対応する切断面４間の隙間である。
【００１９】
絞り部側切断面４の隆起方向は、切り起し部２の切り起し方向と同一である。絞り部５の端部は、切断面４と切断面３との間の間隙が所定の幅となるように、切断面３に沿った形状で隆起している。切り起し部２及び絞り部５の頂部は、金属板１に平行な平板状となっている。
【００２０】
図１に示すように金属板１の面をｘ−ｙ平面として、ｘｙｚ座標軸を定義すれば、切り起し部２及び絞り部５はいずれも−ｚ方向に隆起している。頂部までの高さは、絞り部５よりも、切り起し部２の方が高くなっている。切り起し部２及びその両側の絞り部５により、全体として、四角錐台に類似した形状を構成している。
【００２１】
この板金部品の形成に際しては、先ず、切り起し部２及び絞り部５となる部分の間に、隙間６となるスリットをプレス金型で形成する。その後、切り起し部２の形状を有する切り起し金型部分、及び絞り部５の形状を有する絞り金型部分を有する金型を用いてプレス加工を行うことにより、切り起し部２及び絞り部５を形成する。これにより、図１の板金部品が完成する。
【００２２】
このようにして製造される板金部品では、切り起し部２を、板金部品に対して他の部品をねじ止めするための台座等として用いることができる。その際、絞り部側切断面４が切り起し部２の切断面３に沿っており、隙間６は十分狭くなっているので、ねじ等が隙間６に落ち込むおそれはない。
【００２３】
図２は本発明の他の実施形態に係る板金部品の一部を示す斜視図である。同図に示すように、この板金部品は、金属板１と、金属板１上に切り起し加工によって設けた切り起し部２２と、切り起し部２２に隣接する金属板１部分において、絞り加工によって設けられた絞り部２５とを備える。切り起し部２２は、金属板１から斜めに切り起された矩形の斜部２２ａ、及び斜部２２ａに隣接し、金属板１に平行な矩形の平行部２２ｂを有する。つまり、切り起し部２２は、一端のみが金属板１に接続し、他端及び両側は切断面２３となっている。これらの切断面２３に対応する絞り部側切断面２４が、絞り部２５の端部を構成している。図２中の２６は、切断面２３及び切断面２４間の隙間である。
【００２４】
絞り部２５の端部の隆起方向は、切り起し部２２の切り起し方向と同一である。絞り部２５の端部は、切断面２４が切り起し部２２の切断面２３に沿うような形状で隆起している。図１の場合と同様のｘｙｚ座標によれば、切り起し部２２及び絞り部２５はいずれも−ｚ方向に隆起している。切り起し部２２及び絞り部２５の頂部はいずれも金属板１に平行な平板状となっており、切り起し部２２の頂部は絞り部２５の頂部よりも高さが高い。切り起し部２２及び絞り部２５により、全体として、四角錐台に類似した形状を構成している。
【００２５】
この板金部品の形成は、図１の形態の場合と同様にして行うことができる。すなわち、先ず、切り起し部２２及び絞り部２５となる部分の間に、隙間２６となるスリットをプレス金型で形成する。その後、切り起し部２２の形状を有する切り起し金型部分、及び絞り部２５の形状を有する絞り金型部分を有する金型を用いてプレス加工を行うことにより、切り起し部２２及び絞り部２５を形成する。
【００２６】
このようにして製造される板金部品は、切り起し部２２を、係止片等として用いることができる。その際、絞り部側切断面２４が切り起し部２２の切断面２３に沿っており、隙間２６は十分狭くなっているので、異物等が隙間２６に落ち込むおそれはない。
【００２７】
図３は本発明の別の実施形態に係る板金部品の一部を示す斜視図である。この板金部品は、金属板１上に切り起し加工によって設けられ、この加工で生じた切断面３３を有する切り起し部３２と、切り起し部３２に隣接する金属板１部分において、絞り加工によって設けられた絞り部３５とを備える。切り起し部３２の切断面３３に対応する絞り部側の切断面３４は、絞り部３５の端部を構成している。この端部は、絞り加工によって金属板１の板面から隆起している。
【００２８】
切り起し部３２は両端が金属板１に接続しており、両側が切断面３３となっているブリッジ状のものである。絞り部３５は切り起し部３２の一方の側にのみ設けられている。絞り部側切断面３４の隆起方向は切り起し部３２の切り起し方向と逆である。絞り部側切断面３４及び切り起し部３２の切断面３３は開口３６を形成している。
【００２９】
切り起し部３２及び絞り部３５の頂部は金属板１に平行な平板状となっており、金属板１に対して逆方向の高さを有するが、切り起し部３２の頂部は、絞り部３５の頂部よりも高さが高い。
【００３０】
この板金部品の形成は、図１の形態の場合と同様にして行うことができる。すなわち、先ず、切り起し部３２となる部分の両側に、スリットをプレス金型で形成する。その後、切り起し部３２の形状を有する切り起し金型部分、及び絞り部３５の形状を有する絞り金型部分を有する金型を用いてプレス加工を行うことにより、切り起し部３２及び絞り部３５を形成する。
【００３１】
このようにして製造される板金部品は、切り起し部３２を、他の部品のねじ止め用の台座等として用いることができる。また、開口３６を介し、金属板１の一方の側から他方の側へリード線等を通す等のために用いることができる。
【図面の簡単な説明】
【００３２】
【図１】本発明の一実施形態に係る板金部品の一部を示す斜視図である。
【図２】本発明の他の実施形態に係る板金部品の一部を示す斜視図である。
【図３】本発明の別の実施形態に係る板金部品の一部を示す斜視図である。
【図４】従来の切り起し部を有する板金部品の一例を示す斜視図である。
【符号の説明】
【００３３】
１：金属板、２，２２，３２，４２：切り起し部、３，２３，３３：切断面、４，２４，３４：絞り部側切断面、５，２５，３５：絞り部、６，２６：隙間、３６：開口、４３：開口部。
【図１】
2005334963.tif 000003
【図２】
2005334963.tif 000004
【図３】
2005334963.tif 000005
【図４】
2005334963.tif 000006